(57)【要約】  ミラー面で反射することによって生じる写り込みが実質的に無く、高い透過率を有し、かつ、着色吸収型偏光性フィルム層の使用にて、レンズの外観色とサングラス装用者の視界色を任意に選択できる球面あるいは非球面である偏光ミラーめがねレンズを提供する。  光入射側から、少なくとも反射型偏光性フィルム層と吸収型偏光性フィルム層とを有し、これらがこの順に、透過軸を揃えて配置され、光入射側が凸面の球面あるいは非球面であることを特徴とする偏光ミラーめがねレンズを作製する。
2013051489.tif 000002
【特許請求の範囲】
【請求項１】
光入射側から、少なくとも反射型偏光性フィルム層と吸収型偏光性フィルム層とを有し、これらがこの順に、透過軸を揃えて配置され、光入射側が凸面の球面あるいは非球面であることを特徴とする偏光ミラーめがねレンズ。
【請求項２】
前記反射型偏光性フィルム層の光入射側に、着色吸収型偏光性フィルム層が透過軸を揃えて配置されてなる請求項１記載の偏光ミラーめがねレンズ。
【請求項３】
前記吸収型偏光性フィルム層の光出射側および／または前記反射型偏光性フィルム層の光入射側に、透明熱可塑性樹脂フィルム或いはシート層が接着層を介して積層されてなる請求項１記載の偏光ミラーめがねレンズ。
【請求項４】
前記吸収型偏光性フィルム層の光出射側および／または前記着色吸収型偏光性フィルム層の光入射側に、透明熱可塑性樹脂フィルム或いはシート層が接着層を介して積層されてなる請求項２記載の偏光ミラーめがねレンズ。
【請求項５】
前記吸収型偏光性フィルム層の光出射側に透明熱可塑性樹脂フィルム或いはシート層が配置され、この面に透明熱可塑性樹脂を射出成形してなる層が一体化されてなる請求項１から４のいずれかに記載の射出偏光ミラーめがねレンズ。
【発明の詳細な説明】
【技術分野】
【０００１】
本発明は、ミラー面で反射することによって生じる写り込みが実質的に無く、高い透過率を有し、かつ、着色吸収型偏光性フィルム層の使用にて、レンズ外観色とサングラス装用者の視界色を任意に選択できる球面あるいは非球面である偏光ミラーめがねレンズに関するものである。
【背景技術】
【０００２】
偏光レンズは、優れた防眩性を示すため、サングラスあるいはゴーグルに広く使用されている。偏光レンズに用いる偏光フィルムには、ポリビニルアルコールあるいはその誘導体からなる高分子フィルムをヨウ素やアゾ染料等の二色性を呈する色素で染色し、一軸延伸して配向させたものが使用される。
このような偏光フィルムの両面に透明な保護シートを貼り合わせて、偏光シートとした後に、曲げ加工を施して、曲げ偏光レンズとする。特に、耐衝撃性、耐熱性を要求される偏光レンズには、保護シートにポリカーボネート系樹脂シートが用いられている（特許文献１）。
また、さらに耐衝撃性を向上させる、あるいは視力矯正用レンズとする目的で、曲げ加工を施した後に射出成形にてポリカーボネート系樹脂で裏打ちされた射出偏光レンズも広く用いられている（特許文献２）。【０００３】
また、レンズに意匠性を付与することは一般的に行われており、レンズにグラデーションを施したサングラスや、レンズの表面にミラーコートを施したサングラスが市販されている。【０００４】
ミラーコートにおいては、レンズの外側から、あるいはレンズを通過して顔面に入射した光が顔面から反射し、さらにミラーコートで反射して、写り込みが生じやすいという問題がある。
この写り込みの低減のために、反射層の裏面側に光吸収係数が高い誘電体膜を積層する（特許文献３）、あるいは、レンズ基材を着色する方法が開示されている（特許文献４）。
しかし、写り込み光を抑制するには、誘電体膜あるいは光吸収層での光吸収率を高くしなければならないので、レンズの透過光が低下してしまうという問題があった。また、レンズの透過率を高めた場合には、写り込み光を完全には抑制できないという問題があった。【０００５】
また、誘電体多層膜の各層の屈性率と膜厚を調整することにより、特定の波長の反射率を高めて色純度が高い反射色を持ち、カラーバリエーションが豊富なミラーコートも得られている（特許文献４）。
しかし、反射色の色純度を高めると、透過光においては、その波長成分が減少してしまうので、視認性が低下してしまうという問題がある。この波長成分を補正するためにレンズ基材を着色する方法が開示されている（特許文献４）。しかし、レンズ基材を着色する等の吸収による波長成分の補正方法においては、色補正を強くするとレンズの透過率が低下してしまうという問題があった。また、レンズの透過率を高めた場合には十分な色補正が得られないという問題があった。
【先行技術文献】
【特許文献】
【０００６】
【特許文献１】ＵＳＰ５０５１３０９
【特許文献２】特開平０８−５２８１７号公報
【特許文献３】特開昭６１−２３３７０１号公報
【特許文献４】特開２０００−６６１４９号公報
【発明の概要】
【発明が解決しようとする課題】
【０００７】
ミラー面からの写り込み光を完全に低減させようとすると、光吸収層での光吸収率を高くしなければならなくなり、レンズ凸面側から凹面側への透過光が極端に低下し、暗くなりすぎてしまう問題があった。【０００８】
また、ファッション性を重視して、ある波長成分の反射を強めた場合、透過光においては、その波長成分が減少してしまうので、視認性が低下したり、暗くなりすぎてしまうという問題があった。
【課題を解決するための手段】
【０００９】
本発明者らは、反射型偏光性フィルム層と吸収型偏光性フィルム層の偏光特性を用いることによって、ミラー面で反射することによって生じる写り込みが実質的に無く、高透過率という特徴を有する偏光ミラーめがねレンズを得ることができることを見出し、本発明を完成するに至った。さらに、着色吸収型偏光性フィルム層を用いることによって、前記偏光ミラーめがねレンズの外観色とサングラス装用者の視界色を任意に選択できることを見出し、本発明を完成するに至った。【００１０】
本発明は、光入射側から、少なくとも反射型偏光性フィルム層と吸収型偏光性フィルム層とを有し、これらがこの順に、透過軸を揃えて配置され、光入射側が凸面の球面あるいは非球面であることを特徴とする偏光ミラーめがねレンズである。【００１１】
また、前記反射型偏光性フィルム層の光入射側に、着色吸収型偏光性フィルム層が透過軸を揃えて配置されてなる偏光ミラーめがねレンズである。【００１２】
さらに、前記吸収型偏光性フィルム層の光出射側および／または前記反射型偏光性フィルム層の光入射側に、透明熱可塑性樹脂フィルム或いはシート層が接着層を介して積層されてなる偏光ミラーめがねレンズである。【００１３】
さらに、前記吸収型偏光性フィルム層の光出射側および／または前記着色吸収型偏光性フィルム層の光入射側に、透明熱可塑性樹脂フィルム或いはシート層が接着層を介して積層されてなる偏光ミラーめがねレンズである。【００１４】
さらに、前記吸収型偏光性フィルム層の光出射側に透明熱可塑性樹脂フィルム或いはシート層が配置され、この面に透明熱可塑性樹脂を射出成形してなる層が一体化されてなる射出偏光ミラーめがねレンズである。
【発明の効果】
【００１５】
本発明により、ミラー面で反射することによって生じる写り込みが実質的に無く、高透過率という特徴を有する偏光ミラーめがねレンズを提供できるようになった。さらに、レンズの外観色とサングラス装用者の視界色を任意に選択できるような、着色された偏光ミラーめがねレンズを提供できるようになった。
【図面の簡単な説明】
【００１６】
【図１】実施例１の偏光ミラーめがねレンズの層構成の断面模式図である。
【図２】実施例２の射出偏光ミラーめがねレンズの層構成の断面模式図である。
【図３】実施例３のレンズ外観が着色された偏光ミラーめがねレンズの層構成の断面模式図である。
【図４】実施例４の偏光ミラーめがねレンズの層構成の断面模式図である。
【図５】比較例１の偏光ミラーめがねレンズの層構成の断面模式図である。
【発明を実施するための形態】
【００１７】
まず、本発明における各フィルム或いはシートの機能などについて説明する。
本発明における反射型偏光性フィルム層は、入射光の所定の直線偏光成分を透過し、これと直交する直線偏光成分を反射する機能を持つものである。また、反対面側からの入射光に対しても同じ機能を持つものである。この反射型偏光性フィルム層は、入射光の所定の直線偏光成分を透過し、これと直交する直線偏光成分を反射するものであれば特に限定されず、例えば複屈折型多層積層フィルムが挙げられ、その市販品として例えば３Ｍ社製の反射型偏光性フィルム（ＤＢＥＦ）が例示できる。
【００１８】
前記ＤＢＥＦは、液晶表示装置の分野では液晶表示装置の輝度を向上する目的で使用することが広く知られている。
【００１９】
このＤＢＥＦは、１つの面内軸（透過軸）に平行な電界の振動方向の光（以下、適宜、「透過軸に平行な光」と略記する）を透過し、これと垂直な電界の振動方向の光（以下、適宜、「透過軸に垂直な光」と略記する）を反射する偏光フィルムである。
すなわち、このＤＢＥＦに入射した光のうち、前記透過軸に平行な光のみを透過させることにより偏光作用を発揮する。このＤＢＥＦを透過しなかった光は、実質的にこのＤＢＥＦには吸収されず、反射される。従って、このＤＢＥＦにおいて反射された光は、バックライトに戻され、バックライトに通常組み込まれているＰＥＴ樹脂発泡体などの反射要素によって乱反射され、もう一度ＤＢＥＦに向けて戻されることになる。
【００２０】
ここでＤＢＥＦに向けて戻された光のうち、前記透過軸に平行な光が透過され、これと垂直な方向の光は再び反射される。このように、ＤＢＥＦでは、透過−反射作用の繰り返しによって、透過される偏光光の強度を増大させ、液晶表示面の発光輝度を効果的に高める。
なお、ＤＢＥＦの用途としては、液晶表示装置の輝度向上の目的以外の用途での使用例はほとんど無く、特にサングラス用途での使用例は無かった。
【００２１】
本発明における吸収型偏光性フィルム層は、入射光の所定の直線偏光成分をほぼ全て透過し、これと直交する直線偏光成分を吸収する機能を持つものである。この吸収型偏光性フィルム層は、典型的にはＰＶＡ偏光フィルムが挙げられ、ポリビニルアルコールあるいはその誘導体からなる高分子フィルムにヨウ素や二色性色素を吸着し、該フィルムを一軸に延伸配向させて製造されている。染料としては、耐熱性の点から、スルホン酸基をもつアゾ色素からなる直接染料が好ましい。
吸収型偏光性フィルム層は、透過率が高いほど明るいレンズが得られ、偏光度が高いほどミラー裏面の写り込みが小さくなる。これは、偏光度が高いほど吸収軸の光吸収率が高くなり、写り込みはこの高い光吸収率の層を２回透過したものであることによる。
【００２２】
本発明における着色吸収型偏光性フィルム層は、入射光の所定の直線偏光成分をほぼ全て透過し、これと直交する直線偏光成分の特定の波長域を吸収し、他の波長域を透過する機能を持つものである。
この着色吸収型偏光性フィルム層は、所望の色調を呈する吸収スペクトルを持つ染料を適宜選択して、前記吸収型偏光性フィルム層と同様の方法にて得ることができる。着色吸収型偏光性フィルム層を形成する材料としては、例えばＰＶＡ偏光フィルムなどが好ましく挙げられる。
サングラス装用者の視界色への影響をより小さくするには、より二色比の高いものを使用することが好ましい。また、ミラー色の発色を高めるためには、所望の波長域の透過率が高く、それ以外の波長域の透過率が低いものを使用することが好ましい。
【００２３】
本発明における透明熱可塑性樹脂フィルム或いはシート層は、反射型偏光性フィルム層、吸収型偏光性フィルム層、または着色吸収型偏光性フィルム層の保護層として用いられるものであり、曲げ加工や射出成形により、各偏光性フィルム層の偏光機能を損なうことが無いものが好ましい。
透明熱可塑性樹脂フィルムまたはシート層を形成する材料としては、例えば、ポリカーボネート、ポリアミド、トリアセチルセルロース（ＴＡＣ）などの樹脂が使用できる。耐衝撃性、耐熱性が要求されるサングラスあるいはゴーグルにおいては、透明熱可塑性樹脂フィルム或いはシート層には、ビスフェノールＡからの芳香族ポリカーボネートを使用するのが好ましい。
また、前記の各偏光性フィルム層の最適加工温度が低い場合には、例えば、芳香族ポリカーボネート／ＰＣＣ組成物（全脂環式ポリエステル組成物）、ガラス転移温度１３０℃以下のポリアミドなどを選択することが好ましい。
【００２４】
本発明における接着層は、偏光ミラーめがねレンズを構成する各フィルム或いはシートを貼り合わせる層である。
接着層としては、ホットメルト型接着剤と硬化型接着剤のいずれも使用可能である。通常、硬化型接着剤としては、アクリル樹脂系材料、ウレタン樹脂系材料、ポリエステル樹脂系材料、メラミン樹脂系材料、エポキシ樹脂系材料、シリコーン系材料などが挙げられる。例えば、透明熱可塑性樹脂フィルム或いはシート層にポリカーボネートフィルム或いはシートを使用する場合には、接着層自体あるいは接着した際の透明性とポリカーボネートとの接着性の点から、ウレタン樹脂系材料であるポリウレタンプレポリマーと硬化剤からなる二液型の熱硬化性ウレタン樹脂が好ましい。
【００２５】
本発明において射出成形に用いる透明熱可塑性樹脂としては、射出成形レンズに使用されているものであれば、特に限定なく使用できる。
特に、透明ポリアミド及び芳香族ポリカーボネートは射出成形レンズに使用されているものであり好ましい。また、芳香族ポリカーボネート／ＰＣＣ組成物（全脂環式ポリエステル組成物）、ガラス転移温度１３０℃以下のポリアミドなども好ましい。
【００２６】
次に、本発明における各フィルム或いはシートの配置について説明する。
本発明は、光入射側から、少なくとも反射型偏光性フィルム層と吸収型偏光性フィルム層とを有し、これらがこの順に、透過軸を揃えて配置され、光入射側が凸面の球面あるいは非球面である偏光ミラーめがねレンズである。
このような配置にすることにより、本発明者らはミラー面で反射することによって生じる写り込みが実質的に無くなることを見出した。
【００２７】
本発明に先立ち、本発明者らは反射型偏光性フィルム層を有した偏光ミラーめがねレンズを作製した。この偏光ミラーめがねレンズにおいては、反射型偏光性フィルム層を使用することにより、ミラー外観が生じて意匠性は高まったが、強い写り込みも生じて視認性が著しく低下した。
さらに、この強い写り込みを除去するために、反射型偏光性フィルム層の凹面側に偏光依存性の無い光吸収層を追加したものを作製した。この偏光ミラーめがねレンズにおいては、光吸収層を追加することにより、写り込みは大幅に低減したが、光透過率が大幅に低下してしまい、従来技術のミラーコート付き偏光サングラスと性能上の有意な差は生じなかった。
【００２８】
本発明者らは、ミラー外観により意匠性が高く、写り込みを実質的に無くし、かつ、光透過率が高い偏光ミラーめがねレンズを得るために多種の機能性フィルムの組み合わせを鋭意検討した結果、反射型偏光性フィルム層のレンズ凹面側に吸収型偏光性フィルム層を配置することで解決するに至った。
【００２９】
本発明の偏光ミラーめがねレンズの構成は、反射型偏光性フィルム層と吸収型偏光性フィルム層とがその透過軸を揃えて配置されている。このような構成にしたことにより、次のような理由で写り込みが実質的に無くなると推定される。
レンズ凹面側からの入射光の所定の直線偏光成分に対しては、吸収型偏光性フィルム層が吸収した後に、反射型偏光性フィルム層が反射するために、反射光は実質的に生じなくなる。また、これと直交する直線偏光成分に対しては、吸収型偏光性フィルム層においても反射型偏光性フィルム層においても透過するので、レンズ凸面側から出射するために反射光は生じない。
【００３０】
また、このような構成にしたことにより、次のような理由で透過率が高くなると推定される。
レンズ凸面側からの入射光の所定の直線偏光成分に対しては、反射型偏光性フィルム層により所定の直線偏光成分が反射され良好なミラー外観が生じる。また、これと直交する直線偏光成分に対しては、反射型偏光性フィルム層においても吸収型偏光性フィルム層においても透過するので光のロスを最小限に抑えられる。
【００３１】
さらに、本発明者らが鋭意検討を重ねた結果、所定の直線偏光成分に対する吸収型偏光性フィルム層の吸収は、通常の偏光サングラスと同じ程度に強くする必要は無く、弱い吸収でも十分に効果があることを見出した。すなわち、所定の直線偏光成分に対する光学濃度が通常の偏光サングラスの半分程度でも十分に効果があることを見出した。
【００３２】
また、本発明の好ましい態様は、前記反射型偏光性フィルム層の光入射側に、着色吸収型偏光性フィルム層が透過軸を揃えて配置されてなる偏光ミラーめがねレンズである。
このような配置にすることにより、本発明者らは、サングラス装着者の視界色に影響を与えることなく、偏光ミラーめがねレンズのミラー外観に所望の反射色を付与する方法を見出した。
【００３３】
本発明に先立ち、本発明者らは反射型偏光性フィルム層のレンズ凸面側に偏光依存性の無い着色フィルムを有した偏光ミラーめがねレンズを作製した。この偏光ミラーめがねレンズは、着色フィルムと反射型偏光性フィルム層を使用することにより、所望の着色された反射色が生じたミラー外観を持ち意匠性は高まったが、サングラス装用者の視界色も着色してしまい、サングラス装用時の色バランスが大きく変化し見づらいものであった。
さらに、このサングラス装用者の視界色への影響を除去するために、反射型偏光性フィルム層の凹面側に、着色フィルムの透過光の色を補正する層を追加したものを作製した。この偏光ミラーめがねレンズにおいては、色補正層を追加することにより、このサングラス装用者の視界色への影響は低減したが、光透過率が大幅に低下してしまい、従来技術の着色ミラーコート付き偏光サングラスと性能上の有意な差は生じなかった。
【００３４】
本発明者らは、サングラス装着者の視界色に影響を与えることなく、偏光ミラーめがねレンズのミラー外観に所望の反射色を付与した偏光ミラーめがねレンズを得るために、多種の機能性フィルムの組み合わせを鋭意検討した結果、反射型偏光性フィルム層のレンズ凸面側に着色吸収型偏光性フィルム層を配置することで解決するに至った。
すなわち、本発明の好ましい態様の偏光ミラーめがねレンズは、反射型偏光性フィルム層の凹面側に吸収型偏光性フィルム層が配置され、さらに凸面側に着色吸収型偏光性フィルム層が配置されており、各偏光性フィルム層の透過軸の方位は揃っている。
【００３５】
このような構成にしたことにより、次のような理由でミラー外観に所望の着色された反射色が生じると推定される。
レンズ凸面側からの入射光の所定の直線偏光成分に対しては、着色吸収型偏光性フィルム層により特定の波長域を吸収し、他の波長域を透過する。この透過光が、反射型偏光性フィルム層によりレンズ凸面側に反射されて、反射色を持ったミラー外観が生じる。
【００３６】
また、このような構成にしたことにより、次のような理由でサングラス装用者の視界色に影響を与えることがなくなると推定される。
レンズ凸面側からの前記入射光の所定の直線偏光成分と直交する直線偏光成分に対しては、着色吸収型偏光性フィルム層、反射型偏光性フィルム層、吸収型偏光性フィルム層の全ての層において透過するので光のロスを最小限に抑えられる。
また、着色吸収型偏光性フィルム層に偏光度の高いものを使用することにより、着色吸収型偏光性フィルム層の透過光には実質的に色がつかなくなる。そのため、サングラス装用者の視界色は吸収型偏光性フィルム層のカラーに依存するため、所望のカラーの吸収型偏光性フィルム層を適宜選択することによって、サングラス装用者の視界色を任意に選択することができる。
【００３７】
さらに、本発明者らが鋭意検討を重ねた結果、所定の直線偏光成分に対する着色吸収型偏光性フィルム層の吸収は、弱い吸収でも十分に効果があることを見出した。すなわち、所定の直線偏光成分に対する光学濃度が半分程度でも十分に効果があることを見出した。
【００３８】
なお、本実施例における説明においては、着色していない反射型偏光性フィルム層を使用するものとして例示しているが、レンズ外観に色を付与するために、反射型偏光性フィルム層自体が所望の反射色を有したものを入手できる場合には、着色吸収型偏光性フィルム層と反射型偏光性フィルム層の組み合わせの代替として好ましい態様である。
【００３９】
さらに、吸収型偏光性フィルム層のレンズ凹面側に着色吸収型偏光性フィルム層を配置して、サングラス装用者の視界色に所望の色を付与することもできる。
【００４０】
次に、本発明の偏光ミラーめがねレンズおよび射出偏光ミラーめがねレンズの作製について説明する。
【００４１】
まず本発明の偏光ミラーめがねレンズに使用する偏光ミラーシートを作製する。
偏光ミラーシートは、偏光ミラーめがねレンズを構成する各フィルム或いはシートを接着層を介して貼り合わせることにより作製される。
隣接するフィルム或いはシートの接着においては、耐溶剤性の高いフィルム或いはシート側に接着層を均一厚みに形成することが好ましい。その後、各偏光性フィルム層の透過軸を揃えて貼り合わせて、接着層を硬化させることにより作製する。
この偏光ミラーシートを所望のレンズ形状に打ち抜いて、曲げ加工を施す。
本発明は、球面、楕円体面、あるいは円筒面に曲げられる。曲げ形状の曲率は実用されている範囲で特に制限はないが、曲げ加工することによって、曲げ形状の曲率は小さくてもミラー外観の発現がより効果的になり好ましい。
また、曲げ加工条件は、反射型偏光性フィルム層、吸収型偏光性フィルム層、または着色吸収型偏光性フィルム層の偏光機能を保持することを必須条件として選択する必要がある。
【００４２】
次に、前記の曲げ加工したものを金型に装着し、射出成形することにより、解像度の改善された射出偏光ミラーめがねレンズを製造することができる。
樹脂が射出される面の透明熱可塑性樹脂フィルム或いはシート層と射出樹脂は同種であることが好ましく、特にポリアミド、ポリカーボネートは射出成形レンズに使用されているものであり好ましい。
なお、樹脂が射出される面の透明熱可塑性樹脂フィルム或いはシート層の表面には、射出成形に用いる樹脂との密着性の点から、適宜、射出成形に用いる透明樹脂との密着性改良用のプライマー層が形成されても良い。
また、樹脂が射出される面の透明熱可塑性樹脂フィルム或いはシート層の表面に、射出樹脂と同種の透明熱可塑性樹脂フィルム或いはシート層が接着層を介して貼り増しされても良い。
【００４３】
本発明の偏光ミラーめがねレンズは、上記のほかに下記のように作製することも可能である。
成形済みのプラノレンズあるいはセミフィニッシュレンズに、曲げ偏光ミラーレンズを接着層を介して貼り合わせても良い。レンズの材質としては、ポリカーボネート系樹脂、ウレタン系樹脂、チオウレタン系樹脂、ポリアミド系樹脂、ＣＲ３９などが挙げられる。また、貼り合わせるために用いる接着剤としては、アクリル樹脂系材料、ウレタン樹脂系材料などが使用できる。
【００４４】
なお、偏光ミラーめがねレンズ或いは射出偏光ミラーめがねレンズの表面には、ハードコート処理、反射防止コート処理、防曇処理などの機能が適宜追加されてもよい。
【実施例】
【００４５】
以下、実施例に基づき本発明について詳細に説明するが、本発明はこれら実施例に限定されるものではない。なお、実施例において得られたレンズの評価は以下のようにして行った。
＜可視光線透過率＞
サングラス装用者の視界の明るさを評価するために、レンズの可視光線透過率を紫外可視分光光度計ＵＶ２４５０（島津製作所）にて測定した。
＜レンズ外観の鏡面光沢感評価＞
レンズ凸面側から、レンズ外観を目視にて評価した。
鏡面光沢感が有る場合：○
鏡面光沢感が無い場合：×
＜レンズ凹面側への写り込み評価＞
反射型偏光性フィルム層（ミラー面）で反射することによって生じるレンズ凹面側への写り込み具合を目視にて評価した。
写り込みが無い場合：○
写り込みが有る場合：×【００４６】
（実施例１）
反射型偏光性フィルムにはＤＢＥＦ（３Ｍ社製）（透過率４８％、偏光度８８％）を用い、ＤＢＥＦのレンズ凹面側に二色性色素を吸着させたポリビニルアルコールからなる吸収型偏光性フィルム（透過率３８％、偏光度９４％）を、ＤＢＥＦと吸収型偏光性フィルムの透過軸とを揃えて配置した。さらに、ＤＢＥＦのレンズ凸面側と吸収型偏光性フィルムのレンズ凹面側に、厚さ０．３ｍｍのポリカーボネートシート（三菱瓦斯化学社製）からなる透明熱可塑性樹脂フィルムを配置し、各フィルム或いはシートをウレタン樹脂系接着剤にて貼り合わせて、偏光ミラーシートを得た。
この偏光ミラーシートを、基本形状としては直径７９．５ｍｍの真円であり、垂直方向の幅が５５ｍｍにカットされる型でストリップ形状として打ち抜き、ベースカーブ７．９５（曲率半径６６．６７ｍｍ）の金型を用いて曲げ加工を行い、図１に記載した曲げ偏光ミラーレンズを作製した。曲げ加工においては金型温度１３８℃、保持時間１２０秒の条件にて成形した。ここで言うベースカーブとは、レンズ前面の曲率の意味で用いており、５３０をミリメータ単位の曲率半径で除した値のことである。さらに、曲げ偏光ミラーレンズの凹面側に反射防止コート処理を施した。得られた曲げ偏光ミラーレンズの評価結果を表１に示す。
可視光線透過率は３５％と高く、レンズ凸面側からレンズ外観を観察したところ、金属蒸着によるミラー膜と同等の鏡面光沢感が得られた。また、ＤＢＥＦで反射することによって生じるレンズ凹面側への写り込みを目視で確認したところ、写り込みは無かった。【００４７】
（実施例２）
実施例１と同様にして作製された曲げ偏光ミラーレンズを射出成形用の金型内にインサートし、レンズの凹面側に溶融したポリカーボネートを射出成形して射出樹脂層を形成し、図２に記載した射出偏光ミラーレンズを得た。射出成形においては、１回の射出で同時に２個の偏光レンズを形成できるベースカーブ７．９３２（曲率半径６６．８１ｍｍ）の金型を用い、計量値４０ｍｍ、シリンダー温度３００℃、金型温度１２０℃、射出速度２５ｍｍ／ｓｅｃ、保圧６０ＭＰａ、Ｖ−Ｐ切り替え位置８ｍｍの条件にて成形した。さらに、射出偏光ミラーレンズの凹面側に反射防止コート処理を施した。得られた射出偏光ミラーレンズの評価結果を表１に示す。
可視光線透過率は３５％と高く、レンズ凸面側からレンズ外観を観察したところ、実施例１と同様に、金属蒸着によるミラー膜と同等の鏡面光沢感が得られた。また、ＤＢＥＦで反射することによって生じるレンズ凹面側への写り込みを目視で確認したところ、写り込みは無かった。【００４８】
（実施例３）
実施例１で作製した偏光ミラーシートの層構成において、ＤＢＥＦのレンズ凸面側に二色性色素を吸着させたポリビニルアルコールからなる着色吸収型偏光性フィルムを、着色吸収型偏光フィルムとＤＢＥＦの透過軸とを揃えて配置した。各フィルム或いはシートはウレタン樹脂系接着剤にて貼り合わせて、着色偏光ミラーシートを得た。この着色偏光ミラーシートを実施例１と同様の条件にて曲げ加工を行い、図３に記載した曲げ着色偏光ミラーレンズを作製した。さらに、曲げ着色偏光ミラーレンズの凹面側に反射防止コート処理を施した。得られた曲げ着色偏光ミラーレンズの評価結果を表１に示す。
可視光線透過率は３３％と高く、着色による光のロスは最小限に抑えられていた。また、レンズ凸面側からレンズ外観を観察したところ、反射色を有し、かつ鏡面光沢感を有したレンズを得ることができた。さらに、ＤＢＥＦで反射することによって生じるレンズ凹面側への写り込みを目視で確認したところ、写り込みは無かった。【００４９】
（実施例４）
実施例１で作製した偏光ミラーシートの層構成において、レンズ凸面側のポリカーボネートシートとレンズ凹面側のポリカーボネートシートを、各々厚さ８０μｍのトリアセチルセルロースフィルム（ＴＡＣ）（富士フィルム社製）からなる透明熱可塑性樹脂フィルムに置き換え、曲げ加工における金型温度と保持時間が異なる以外は、実施例１と同様にして図４に記載した曲げ偏光ミラーレンズを作製した。さらに、曲げ偏光ミラーレンズの凹面側に反射防止コート処理を施した。得られた曲げ偏光ミラーレンズの評価結果を表１に示す。
可視光線透過率は３５％と高く、レンズ凸面側からレンズ外観を観察したところ、実施例１と同様に、金属蒸着によるミラー膜と同等の鏡面光沢感が得られた。また、ＤＢＥＦで反射することによって生じるレンズ凹面側への写り込みを目視で確認したところ、写り込みは無かった。【００５０】
（比較例１）
実施例１で作製した偏光ミラーシートの層構成において、吸収型偏光性フィルム層を設けない他は、実施例１と同様にして図５に記載した曲げ偏光ミラーレンズを作製した。さらに、曲げ偏光ミラーレンズの凹面側に反射防止コート処理を施した。得られた曲げ偏光ミラーレンズの評価結果を表１に示す。
可視光線透過率は４０％で、レンズ凸面側からレンズ外観を観察したところ、金属蒸着によるミラー膜と同等の鏡面光沢感が得られた。しかしながら、ＤＢＥＦで反射することによって生じるレンズ凹面側への写り込みを目視で確認したところ、めがねレンズとして使用することが困難なほど写り込みが強かった。【００５１】
【表１】
2013051489.tif 000003
【符号の説明】
【００５２】
１、４・・・透明熱可塑性樹脂フィルム（ポリカーボネートシート）
２・・・反射型偏光性フィルム層
３・・・吸収型偏光性フィルム層
５、６、７、１０・・・接着層
８・・・射出樹脂層
９・・・着色吸収型偏光性フィルム層
１１、１２・・・透明熱可塑性樹脂フィルム（トリアセチルセルロースフィルム）
【図１】
2013051489.tif 000004
【図２】
2013051489.tif 000005
【図３】
2013051489.tif 000006
【図４】
2013051489.tif 000007
【図５】
2013051489.tif 000008
【国際調査報告】
2013051489.tif 000009
2013051489.tif 000010
2013051489.tif 000011